(57)【要約】  本発明は、ケーブルへの機械的および電気的接続のために設計され、導電材料製の整合プラグコネクタ（４）の挿入のための開口側を有する導電材料製のハウジングと、ハウジングとハウジングに挿入される整合プラグコネクタ（４）との間で接点表面との電気接点および接点圧力を発生させるように、ハウジングに配置および形成される接点要素（５）を包含し、少なくとも１つの環状螺旋スプリングを接点要素（５）が有する、電流を伝送するための高電流コネクタに関する。
2014510371.tif 000002
【特許請求の範囲】
【請求項１】
ケーブルへの機械的および電気的な接続のために設計され、導電材料製の係合挿入型コネクタ（４）を挿入するための開口端部を有する導電材料のハウジングと、接点表面との電気接点を形成する前記ハウジングと前記ハウジングに挿入される前記係合挿入型コネクタ（４）との間に接点形成圧力を発生させるように、前記ハウジングに配設および形成された接点形成部材（５）とを有する、電流を伝送するための高電流挿入型コネクタにおいて、
前記接点形成部材が、少なくとも１つの環状螺旋スプリング（５）を有することを特徴とする高電流挿入型コネクタ。
【請求項２】
請求項１に記載の高電流挿入型コネクタにおいて、
前記螺旋環状スプリング（５）は、Ｕ字形溝部に挿入され、
前記Ｕ字形溝部は、前記ハウジングに配設される導電性マウントレール（１）に形成されるとともに、前記係合挿入型コネクタ（４）を受け入れ且つ前記係合挿入型コネクタ（４）との接点を形成するために、前記螺旋環状スプリング（５）が平行して延在する２つの主要区画を形成するように前記螺旋環状スプリング（５）を受け入れることを特徴とする高電流挿入型コネクタ。
【請求項３】
請求項２に記載の高電流挿入型コネクタにおいて、
前後に配設された３つの螺旋環状スプリング（５）が前記マウントレール（１）に設けられることを特徴とする高電流挿入型コネクタ。
【請求項４】
請求項１から請求項３のいずれか１項に記載の高電流挿入型コネクタにおいて、
前記螺旋環状スプリング（５）が斜角をなす巻線（６）を有することを特徴とする高電流挿入型コネクタ。
【発明の詳細な説明】
【技術分野】
【０００１】
本発明は、請求項１の前文に規定されるように、電流を伝送するための高電流挿入型コネクタに関連する。
【背景技術】
【０００２】
例えば１００から４００Ａ以上の強度を持つ、特に高い電流を伝送するのに使用されるこの種の高電流挿入型コネクタは、電気またはハイブリッド駆動装置を有する自動車やその他に用途が見られる。この場合、高電流挿入型コネクタは、係合挿入型コネクタとして作用するブレード接点が挿入され得るハウジングを有する。ハウジングとブレード接点の両方が導電材料で製造され、電流を伝導するための適切なケーブルに接続される。
【０００３】
この種の高電流挿入型コネクタの場合、占有するスペースは少量でありながらハウジングと係合挿入型コネクタとの間において確実な電気接点の形成が達成されるという要件が存在するが、この要件の意図するところは、機械的振動の形での高い負荷が存在する時であっても高電流が確実に伝送され、同時に例えば磨滅の結果として言及に値する摩耗を接点ポイントが受けないことを保証することである。
【０００４】
従来周知の高電流挿入型コネクタでは、この要件は未だ満足できる形で満たされておらず、これは、特に形成される不充分な電気接点に起因している。
【発明の概要】
【発明が解決しようとする課題】
【０００５】
したがって、本発明の元となる目的は、上述した短所を克服するために、あらゆる動作状態であっても電気接点が確実に形成されるように、一般的な種類の高電流挿入型コネクタを設計することである。
【課題を解決するための手段】
【０００６】
この目的を達成するために規定される本発明の特徴は、請求項１から判明する。その好都合な実施形態は他の請求項に記載されている。
【０００７】
本発明による高電流挿入型コネクタは、接点面との電気接点を形成して、ハウジングとハウジングに挿入される係合挿入型コネクタとの間に接点形成圧力を発生させるように設計され、ハウジングに形成される接点形成部材が少なくとも１本の環状螺旋スプリングを有するように設計される。
【０００８】
発明の一実施形態では、螺旋環状スプリングは、Ｕ字形溝部に挿入され、このＵ字形溝部は、ハウジングに配設される導電性マウントレールに形成されるとともに、係合挿入型コネクタを受け入れ且つ係合挿入型コネクタとの接点を形成するために、前記螺旋環状スプリングが平行して延在する２つの主要区画を形成するように螺旋スプリングを受け入れる。
【０００９】
占めるスペースは特に少量でありながら、機械的振動の形の高い負荷が存在する時でも高電流を確実に伝送し、同時に例えば磨滅の結果として言及に値する摩耗を接点ポイントが受けることのないように、ハウジングと係合挿入型コネクタとの間に確実な電気接点形成手段が用意される。
【００１０】
発明のさらなる実施形態では、前後に配設された３つの螺旋環状スプリングが、好ましくは銅で構成されるマウントレールに設けられるようになっているとよい。これは、係合挿入型コネクタとマウントレールまたはハウジングとの間の電気接点の形成を更なるレベルまで向上させる。
【００１１】
螺旋環状スプリングが斜角を成す巻線を有する場合、さらなるアドバンテージが得られる。したがって、係合挿入型コネクタとマウントレールとの間に特に高い接点形成圧力が発生されるという好都合な効果が達成される。
【００１２】
以下、図面を参照して本発明を詳細に説明する。
【図面の簡単な説明】
【００１３】
【図１】図１は、高電流挿入型コネクタのハウジングでの配設を目的とする導電性マウントレールの斜視図であり、挿入プロセスの途中での、マウントレールへ挿入された３つの螺旋環状スプリングと係合挿入型コネクタとを示す。
【図２】図２は、マウントレールのＵ字形溝部へ挿入される直前の３つの螺旋環状スプリングの斜視図である。
【図３】図３は、マウントレールの溝部に挿入された時の螺旋環状スプリングの拡大斜視図である。
【図４】図４は、平行して延在する螺旋環状スプリングの主要区画へ挿入される直前の係合挿入型コネクタの拡大斜視図である。
【図５】図５は、マウントレールの溝部へ挿入される時の螺旋環状スプリングの平面図であり、挿入される直前の係合挿入型コネクタを示す。
【図６】図６は、係合挿入型コネクタが挿入された状態の螺旋環状スプリングの平面図である。
【図７】図７は、マウントレールの溝部へ挿入された時の螺旋環状スプリングの状態を示す、図３のＶＩＩ−ＶＩＩ線における断面図である。
【図８】図８は、係合挿入型コネクタが挿入された時の、図３のＶＩＩ−ＶＩＩ線における断面図である。
【発明を実施するための形態】
【００１４】
例えば図１および図２などの図面から分かるように、例えば銅などの導電材料で構成され、且つ同じく導電材料で構成されるハウジング（不図示）に配設されるマウントレール１が高電流挿入型コネクタに設けられている。マウントレール１は、電流用の電気ケーブル（不図示）に電気的および機械的な接続を行うためのケーブル端部２を有する。
【００１５】
ケーブル端部２と反対側となるマウントレール１の端部には、導電材料製のブレード状係合挿入型コネクタ４を受け入れるように形成および配設された接点形成ポイント３が設けられる。
【００１６】
図２から分かるように、ハウジング側のマウントレール１と係合挿入型コネクタ４との間には、接点形成部材として環状スプリングの形を取り、その巻線６が斜角をなしている３つの螺旋スプリング５が設けられている。図８から分かるように、螺旋スプリング５は、接点形成ポイント３に形成された当該のＵ字形溝部７に挿入される。このＵ字形溝部７は、各螺旋環状スプリング５が接点形成ポイント３でＵ字形溝部７へ挿入された時に、各螺旋環状スプリングが係合挿入型コネクタ４を受け入れ且つ係合挿入型コネクタとの接点を形成するために平行して延在する二つの主要区画を形成し、また、適切な接点形成圧力で係合挿入型コネクタ４を受け入れるような間隙幅を有している。図に示すように、螺旋環状スプリング５が斜角で延在する巻線６を有するという事実が、係合挿入型コネクタ４と螺旋環状スプリング５との間における高い効果の接点形成に非常に大きく役立っている。
【００１７】
上述した詳細において説明されていない発明の特徴については、請求項および図面に注目されるべきであることは明白である。
【図１】
2014510371.tif 000003
【図２】
2014510371.tif 000004
【図３】
2014510371.tif 000005
【図４】
2014510371.tif 000006
【図５】
2014510371.tif 000007
【図６】
2014510371.tif 000008
【図７】
2014510371.tif 000009
【図８】
2014510371.tif 000010
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
ケーブルへの機械的および電気的接続のために設計され、導電材料製の係合挿入型コネクタ（４）を挿入するための開口端部を有する導電材料のマウントレール（１）と、接点表面との電気接点を形成する前記マウントレール（１）と前記マウントレールに挿入される前記係合挿入型コネクタ（４）との間に接点形成圧力を発生させるように、前記マウントレール（１）に配設および形成される接点形成部材と、を有し、前記接点形成部材が少なくとも１つの環状螺旋スプリング（５）を有する、電流を伝送するための高電流挿入型コネクタにおいて、
前記環状螺旋スプリング（５）は、Ｕ字形状に延出する溝に挿入され、
前記Ｕ字形状に延出する溝は、前記マウントレールのＵ字形状の接触形成ポイント（３）に形成されるとともに、前記係合挿入型コネクタ（４）を受け入れ且つ前記係合挿入型コネクタ（４）との接点を形成するために、前記環状螺旋スプリング（５）が平行して延在する２つの主要区画を形成するように前記環状螺旋スプリング（５）を受け入れることを特徴とする高電流挿入型コネクタ。
【請求項２】
請求項１に記載の高電流挿入型コネクタにおいて、
前後に配設された３つの環状螺旋スプリング（５）が前記マウントレール（１）に設けられることを特徴とする高電流挿入型コネクタ。
【請求項３】
請求項１または請求項２に記載の高電流挿入型コネクタにおいて、
単数または複数の前記環状螺旋スプリング（５）が斜角を成す巻線（６）を有することを特徴とする高電流挿入型コネクタ。
【国際調査報告】
2014510371.tif 000011
2014510371.tif 000012
2014510371.tif 000013
2014510371.tif 000014
2014510371.tif 000015
2014510371.tif 000016